(57)【要約】【課題】Ｗ−ＣＤＭＡ方式のパケット通信のように、個別チャネルによる伝送時に、送信局側で送信すべきデータが存在しなくて、データ用チャネルのデータ受信が停止されても、ＳＩＲ基準値の更新を可能とし、データ用チャネルの受信データの有無にかかわらず、アウターループ制御が行えるようにする。【解決手段】パイロット誤り率計数部１０で、パイロット信号を含む制御用チャネルの受信データ誤り率を算出し、この算出結果によりＴＡＲＧＥＴ  ＳＩＲ算出部１２がＳＩＲ（希望波対干渉波電力比）の基準値を更新するようにした。【選択図】          図４
2004274117.tif 000002
【特許請求の範囲】
【請求項１】
制御用チャネルの受信データ誤り率を算出する制御データ受信誤り率計数部、
この制御データ受信誤り率計数部の算出結果により、希望波に対する干渉波電力比の基準値を更新する基準値算出部、
この基準値算出部で更新された基準値と希望波に対する干渉波電力比の測定値とを比較する比較部、
及びこの比較部の比較結果に従って、送信局に対する送信電力を制御させる信号を生成する信号生成部を備えたことを特徴とする通信装置。
【請求項２】
データ用チャネルの受信データ誤り率を算出するデータ受信誤り率計数部、
制御用チャネルの受信データ誤り率を算出する制御データ受信誤り率計数部、
上記データ用チャネルに受信データが存在するときは、上記データ受信誤り率計数部の算出結果により、上記データ用チャネルに受信データが存在しないときには、上記制御データ受信誤り率計数部の算出結果により、希望波に対する干渉波電力比の基準値を更新する基準値算出部、
この基準値算出部で更新された基準値と希望波に対する干渉波電力比の測定値とを比較する比較部、
及びこの比較部の比較結果に従って、送信局に対する送信電力を制御させる信号を生成する信号生成部を備えたことを特徴とする通信装置。
【請求項３】
制御データ受信誤り率計数部は、制御用チャネルのパイロット信号から制御用チャネルの受信データ誤り率を算出することを特徴とする請求項１又は請求項２に記載の通信装置。
【請求項４】
基準値算出部は制御データ受信誤り率計数部の算出結果により希望波に対する干渉波電力比の基準値を更新するのに設定閾値を用い、この設定閾値はデータ用チャネルの受信データが存在するときに予め算出した制御用データ受信誤り率計数部の算出結果により決定されることを特徴とする請求項２に記載の通信装置。
【請求項５】
高品質のデータ受信をするとき、基準値算出部は制御データ受信誤り率計数部の算出結果により、希望波に対する干渉波電力比の基準値を更新することを特徴とする請求項２に記載の通信装置。
【請求項６】
制御データ受信誤り率の算出結果により、希望波に対する干渉波電力比の基準値を更新し、
この更新された基準値と希望波に対する干渉波電力比の測定値とを比較し、この比較結果に従って、送信局に対する送信電力を制御させる信号を生成する送信電力制御方法。
【請求項７】
データ用チャネルに受信データが存在するときは上記データ用チャネルの受信データ誤り率の算出結果により、上記データ用チャネルに受信データが存在しないときは制御データ用チャネルの受信データ誤り率の算出結果により、希望波に対する干渉波電力比の基準値を更新し、
この更新された基準値と希望波に対する干渉波電力比の測定値とを比較し、この比較結果に従って、送信局に対する送信電力を制御させる信号を生成する送信電力制御方法。
【発明の詳細な説明】
【０００１】
【発明の属する技術分野】
この発明は、無線データ通信を行なう通信装置、及び送信電力制御方法に関する。
【０００２】
【従来の技術】
Ｗ−ＣＤＭＡシステムでは、システム内に多数の移動局を収容するために、送信局からの下り送信電力を必要最小限に制限しなけらばならないが、従来の通信装置の送信電力制御方法として、インナーループ（Ｉｎｎｔｅｒ  ｌｏｏｐ）制御の制御目標であるＳＩＲ（Ｓｉｇｎａｌ−ｔｏ−Ｉｎｔｅｒｆｅｒｅｎｃｅ  Ｒａｔｉｏ：希望波対干渉波電力比）基準値を、受信データの復調誤り率（ＢＬＥＲ（Ｂｌｏｃｋ  Ｅｒｒｏｒ  Ｒａｔｅ：ブロック誤り率）等）を基に更新するアウターループ（Ｏｕｔｅｒ  ｌｏｏｐ）制御を行う２重ループ構成の制御方法がある（例えば、非特許文献１参照。）。
【０００３】
また、従来のアウターループ制御として、受信データを復調し、復調後のデータに対してターボ復号を行い、計数部がターボ復号の繰り返し回数（以下、イテレーション回数をいう。）を計数し、ＣＲＣ（Ｃｙｃｌｉｃ  Ｒｅｄｕｎｄａｎｃｙ  Ｃｈｅｃｋ：巡回冗長検査）判定部が復号されたデータに対しＣＲＣチェックを行い、誤りの有無及びイテレーション回数に従って、基準ＳＩＲの増減を算出し、基準ＳＩＲ更新部がＳＩＲ基準値の増減値と現在の基準ＳＩＲ値とを加算して新たなＳＩＲ値を求め、比較部が測定された受信信号のＳＩＲ値と更新されたＳＩＲ基準値とを比較し、この比較結果に従って送信電力制御ビットを生成するものがある（特許文献１参照）。
【０００４】
【非特許文献１】
立川敬二監修「Ｗ−ＣＤＭＡ移動通信方式」丸善株式会社発行、平成１３年６月２５日、第５３−５５頁
【特許文献１】
特開２００１−１５６７１１公報（第４−６頁、図１、２）
【０００５】
【発明が解決しようとする課題】
Ｗ−ＣＤＭＡ方式のパケット通信では、個別チャネル（ＤＣＨ：Ｄｅｄｉｃａｔｅｄ  ＣＨａｎｎｅｌ）による伝送時に、送信局側で送信すべきデータが存在しないとき、データ用チャネルのデータ受信が数秒間程度停止される。その間に、移動局側ではＣＲＣチェックが行えない。このため、データ用チャネルのデータ受信が停止されると、従来のアウターループ制御では、その間ＳＩＲ基準値の更新がされず、アウターループ制御が行えなかった。即ち、データ用チャネルのデータ受信が停止されている間に通信状態が悪化した場合には、ＳＩＲ基準値を増加させる制御がなされないので、その後、データ用チャネルのデータ受信が再開したときには、送信局から出力される下り送信電力が過小となってしまい、必要な受信データの誤り率（ＢＬＥＲ）を確保できないという問題が生じていた。また逆に、データ用チャネルのデータ受信が停止されている間に通信状態が良好になった場合には、ＳＩＲ基準値を減少させる制御がなされないので、その後、データ用チャネルのデータ受信が再開したときには、送信局から出力される下り送信電力が必要以上に過大となってしまい、他の通信端末に対する干渉を増大するという問題が生じていた。
【０００６】
この発明は、上記のような課題を解決するためになされたもので、データ用チャネルの受信データの存在の有無にかかわらず、ＳＩＲ基準値の更新を可能とし、パケット通信のようにデータ用チャネルの受信データが存在しないときにも、送信局に対し、適性な送信電力に制御させる信号を生成することができる通信装置を得ることを目的とする。
【０００７】
【課題を解決するための手段】
この発明に係る通信装置は、制御用チャネルの受信データ誤り率を算出する制御データ受信誤り率計数部、この制御データ受信誤り率計数部の算出結果により、希望波に対する干渉波電力比の基準値を更新する基準値算出部、この基準値算出部で更新された基準値と希望波に対する干渉波電力比の測定値とを比較する比較部、及びこの比較部の比較結果に従って、送信局に対する送信電力を制御させる信号を生成する信号生成部を備えたものである。
【０００８】
【発明の実施の形態】
実施の形態１．
以下、この発明の実施の形態１について説明する。
【０００９】
携帯電話に代表される移動体無線通信方式として、第３世代と呼ばれる複数の通信方式がＩＴＵ（国際電気通信連合）においてＩＭＴ―２０００として採用され、そのうち、Ｗ−ＣＤＭＡ（Ｗｉｄｅｂａｎｄ  Ｃｏｄｅ  ＤｉｖｉｓｉｏｎＭｕｌｔｉｐｌｅ  Ａｃｃｅｓｓ）方式については、２００１年に日本において商用サービスが開始されている。
【００１０】
Ｗ−ＣＤＭＡ方式は、移動局当り最大２Ｍｂｐｓ（ｂｉｔ  ｐｅｒ  ｓｅｃｏｎｄ）程度の通信速度が得られることを目的としており、規格化団体である３ＧＰＰ（３ｒｄ  Ｇｅｎｅｒａｔｉｏｎ  Ｐａｒｔｎｅｒｓｈｉｐ  Ｐｒｏｊｅｃｔ）において、１９９９年にまとめられた規格のバージョンであるリリース９９（Ｒｅｌｅａｓｅ１９９９）版として最初の仕様が決定されている。
【００１１】
図１はＷ−ＣＤＭＡ方式の通信システムを示す一般的な概念図であり、図において、送信局としての基地局１（ＢＳ：Ｂａｓｅ  Ｓｔａｔｉｏｎ）は、通信装置としての移動局２（ＭＳ：Ｍｏｂｉｌｅ  Ｓｔａｔｉｏｎ）と無線通信をする。無線通信について、基地局１が移動局２にデータを送信する際には、下りリンク３（個別チャネル）が使用され、移動局２が基地局１にデータを送信する際には、上りリンク４（個別チャネル）が使用される。なお、個別チャネルとは移動局毎に設定されるチャネルのことである。
【００１２】
次に動作について説明する。
【００１３】
下りリンク３は、データ用個別物理チャネルであるＤＰＤＣＨ（Ｄｅｄｉｃａｔｅｄ  Ｐｈｙｓｉｃａｌ  Ｄａｔａ  ＣＨａｎｎｅｌ）と制御用個別物理チャネルであるＤＰＣＣＨ（Ｄｅｄｉｃａｔｅｄ  Ｐｈｙｓｉｃａｌ  Ｃｏｎｔｒｏｌ  ＣＨａｎｎｅｌ）からなり、両チャネルは時間多重されて送信される。
【００１４】
下りリンク３では、各送信先移動局あての下りリンク毎に分離用符号（いわゆる拡散符号）を掛けてチャネル間の分離処理がされた後、基地局１に割り当てられた基地局識別符号（いわゆるスクランブル符号）が掛けられて送信される。即ち、各移動局向けのチャネルの分離は拡散符号で、各基地局の分離はスクランブル符号で行なわれる。以上の処理は３ＧＰＰ規格にのっとり、また一般的に公知な技術を用いて行なわれる。
【００１５】
次に、上りリンク４では、各移動局から送信されるデータ用個別物理チャネルであるＤＰＤＣＨ（Ｄｅｄｉｃａｔｅｄ  Ｐｈｙｓｉｃａｌ  Ｄａｔａ  ＣＨａｎｎｅｌ）と制御用個別物理チャネルであるＤＰＣＣＨ（Ｄｅｄｉｃａｔｅｄ  Ｐｈｙｓｉｃａｌ  Ｃｏｎｔｒｏｌ  ＣＨａｎｎｅｌ）からなり、両チャネルは符号多重及びＩＱ多重されて送信される。
【００１６】
上りリンク４では、ＤＰＤＣＨ及びＤＰＣＣＨに対し各々異なる拡散符号を掛けてチャネル間の分離処理がされた後、ＩＱ多重され、さらに移動局２に割り当てられた移動局識別符号（いわゆるスクランブル符号）が掛けられて送信される。即ち、１つの移動局における各チャネルの分離は拡散符号で、各移動局の分離はスクランブル符号で行なわれる。以上の処理は３ＧＰＰ規格にのっとり、また一般的に公知な技術を用いて行なわれる。
【００１７】
図２は下りリンク３のＤＰＤＣＨ及びＤＰＣＣＨのフレーム構成を示す図である。このフレーム構成自体は３ＧＰＰ規格に基づくもので公知のものである（３ＧＰＰ規格、ＴＳ  ２５．２１１  バージョン３．１１．０  項目５．３．２  Ｄｅｄｉｃａｔｅｄ  ｄｏｗｎｌｉｎｋ  ｐｈｙｓｉｃａｌ  ｃｈａｎｎｅｌｓ参照）。
【００１８】
図２において、１フレームはＴｆ＝１０ｍｓ（ｍｉｌｌｉ  ｓｅｃｏｎｄ）で、それが１５のスロット（Ｓｌｏｔ＃０〜＃１４）に分割されている。１スロットはＴｓｌｏｔ＝２５６０ｃｈｉｐｓ、１０×２ｋｂｉｔｓ（但し、ｋ＝０．．７）となっている。
【００１９】
ＤＰＤＣＨはＤａｔａ１及びＤａｔａ２からなり、ＤＰＣＣＨはＴＰＣ（Ｔｒａｎｓｍｉｔ  Ｐｏｗｅｒ  Ｃｏｎｔｏｒｏｌ：送信電力制御）、ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）、Ｐｉｌｏｔからなり、それぞれのデータは時間多重されている。ここで、パケット通信時、ＤＰＤＣＨの各データは存在しなくなる時があるが、ＤＰＣＣＨの各データは常に存在し続ける。また、ＴＰＣは基地局１から送信される送信電力の制御情報であって、移動局２に対し送信出力の増減を命令する信号情報によって構成されており、通信状況に応じて変動する。ＴＦＣＩは多重化されている複数のトランスポートチャネルの組み合わせにおいて、フレームで使用しているトランスポートチャネル毎の伝送フォーマットの組合せを通知する情報であり、例えば送信データ量によって変動する。Ｐｉｌｏｔはパイロット信号であって、伝搬情報を知るためにデータと同時に送信される既知のデータパターンであり、後述するようにスロットフォーマット（Ｓｌｏｔ  Ｆｏｒｍａｔ）毎に決定される。
【００２０】
次に、図３はパイロットのビット数Ｎｐｉｌｏｔとパイロット信号の関係を示す図である。
【００２１】
図において、パイロットのビット数Ｎｐｉｌｏｔは、３ＧＰＰ規格で定められたスロットフォーマットによって決定される。パイロット信号はパイロットのビット数Ｎｐｉｌｏｔが決まれば、一定の固定数列となるように、３ＧＰＰ規格により予め用意されており、従来から例えば位相や振幅の変動補償等に用いられている。図３において、例えば、Ｎｐｉｌｏｔ＝４のときでは、Ｓｌｏｔ＃０＝｛１１１１｝、Ｓｌｏｔ＃１＝｛１１００｝、…、Ｓｌｏｔ＃１４＝｛１１００｝となっている。
【００２２】
次に、図４はこの発明の実施の形態１における移動局の構成を示すブロック図である。
【００２３】
図において、無線部５はアンテナ６を介して、図１で示した下りリンク３の送信データ（ＤＰＤＣＨ、ＤＰＣＣＨ）を無線周波数信号で受信する。復調部７は無線部５で受信した無線周波数信号を復調し、復調後の受信データをＳＩＲ測定部８に入力すると共に、ＤＰＤＣＨの受信データを復号部９に入力し、ＤＰＣＣＨの受信データを制御データ誤り率計数部としてのパイロット誤り率計数部１０に入力する。ＳＩＲ測定部８はＳＩＲ値を測定し、このＳＩＲ測定値をＳＩＲ比較部１３に入力する。復号部９はＤＰＤＣＨの受信データを復号する。復号後の受信データは、音声復号等のそれぞれ必要な処理が施された後、スピーカやパソコンから音声出力や画像表示される。パイロット誤り率計数部１０はＤＰＣＣＨの受信データに含まれたパイロット信号のビット誤り率を算出する。ここで、パイロット信号は図２で示されるＰｉｌｏｔであり、図４に示したようにスロットフォーマットやビット数Ｎｐｉｌｏｔに応じて３ＧＰＰ規格で予め定められ、パイロット信号のビット誤り率はパイロット誤り率計数部１０によって算出される。つまり、このパイロット信号はＤＰＤＣＨに受信データが存在しなくても常にＤＰＣＣＨの受信データ中に存在し、また、ＤＰＣＣＨの受信データに含まれたＴＰＣのように通信状況によって変動せず、ＴＦＣＩのように送信データ量等によって変動しないため、正確に誤り率を算出するのに適している。但し、パイロット信号のデータ情報量はＤＰＤＣＨの受信データ情報量に比べて少ないため、好ましくはパイロット誤り率計数部１０にパイロット信号データを一時的に記憶するメモリ（図示せず）を更に備え、数十フレームごとにパイロット誤り率を算出する方が望ましい。ＴＡＲＧＥＴ  ＳＩＲ算出部１２はパイロット誤り率計数部１０の算出結果によりＳＩＲ基準値を更新する。比較部としてのＳＩＲ比較部１３はＴＡＲＧＥＴ  ＳＩＲ算出部１２で更新されたＳＩＲ基準値とＳＩＲ測定部８で測定されるＳＩＲ測定値とを比較し、この比較結果を信号生成部としての下り送信電力制御情報生成部１４に入力する。下り送信電力制御情報生成部１４はＳＩＲ比較部１３の比較結果に従って、送信局に対する送信電力を増減させる信号を生成し、この信号を変調部１６に入力する。変調部１６は符号部１５で符号化された音声又は画像等の送信データを拡散変調すると共に、下り送信電力制御情報生成部１４により入力される送信局に対する送信電力を増減させる信号を拡散変調し、更に拡散変調後の各信号をＩＱ多重し、移動局識別符号を掛けて拡散した後、無線部５に入力する。無線部５は拡散変調後の信号を無線周波数信号に変換し、アンテナ６を介して、図１で示す上りリンク４に乗せて基地局１へ送信する。
【００２４】
次に、実施の形態１における移動局の動作説明をする。
【００２５】
図５はこの発明の実施の形態１における移動局のＴＡＲＧＥＴ  ＳＩＲ更新処理を示すフローチャート図である。
【００２６】
図４において、復調部７はアンテナ６を介して無線部５から入力された無線周波数信号を復調し、復調後の受信データをＳＩＲ測定部８に入力すると共に、ＤＰＤＣＨの受信データを復号部９に入力し、ＤＰＣＣＨの受信データをパイロット誤り率計数部１０に入力する。復号部９はＤＰＤＣＨの受信データを復号する。この復号後の受信データは、音声復号等のそれぞれ必要な処理が施された後、スピーカやパソコンから音声出力や画像表示される。次に、パイロット誤り率計数部１０はＤＰＣＣＨの受信データに含まれるパイロット信号のビット誤り率を好ましくは数十フレーム毎に算出し、ＴＡＲＧＥＴ  ＳＩＲ算出部１２に入力する。ＴＡＲＧＥＴ  ＳＩＲ算出部１２はパイロット誤り率計数部１０の算出結果によりＳＩＲ基準値を更新する。即ち、図５において、パイロット信号のビット誤り率によるＴＡＲＧＥＴ  ＳＩＲ更新処理が開始されると（ステップ（以下、ＳＴとする）１−１）、まず、パイロット信号のビット誤り率が設定された設定閾値より上回るのか下回るのかの閾値判定する（ＳＴ１−２）。パイロット信号のビット誤り率が設定閾値を下回るときには通信状態が安定しているためＳＩＲ基準値を減少する設定がされ（ＳＴ１−３）、パイロット信号のビット誤り率が設定閾値を上回るときには通信状態が不安定であるためＳＩＲ基準値を増加する設定がされ（ＳＴ１−４）、ＴＡＲＧＥＴ  ＳＩＲ更新処理が終了される（ＳＴ１−５）。次に、ＳＩＲ比較部１３はＴＡＲＧＥＴ  ＳＩＲ算出部１２で更新されたＳＩＲ基準値と、ＳＩＲ測定部８から入力されるＳＩＲ測定値とを比較して、この比較結果を下り送信電力制御情報生成部１４に入力する。下り送信電力制御情報生成部１４はＳＩＲ比較部１３の比較結果に従って、送信局に対する送信電力を増減させる信号を生成する。即ち、ＳＩＲ測定値が更新されたＳＩＲ基準値より大きいときには送信局に対して送信電力を減少させる制御信号を生成し、ＳＩＲ測定値が更新されたＳＩＲ基準値より小さいときには送信局に対して送信電力を増加させる制御信号を生成し、制御信号を変調部１６に入力する。次に、変調部１６は符号部１５で符号化された音声又は画像等の送信データを拡散変調すると共に、下り送信電力制御情報生成部１４により入力される送信局に対する送信電力を増減させる信号を拡散変調し、更に拡散変調後の各信号をＩＱ多重し、移動局識別符号を掛けて拡散した後、無線部５に入力する。無線部５は拡散変調後の信号を無線周波数信号に変換し、アンテナ６を介して、図１で示す上りリンク４に乗せて基地局１へ送信する。
【００２７】
このようにして、この実施の形態１によれば、パイロット信号を含む制御用チャネルの受信データ誤り率の算出結果によりＳＩＲ基準値を更新しているので、データ用チャネルの受信データの存在の有無にかかわらず、ＳＩＲ基準値の更新を可能とし、パケット通信のようにデータ用チャネルの受信データが存在しないときも、送信局に対し、必要最小限である適性な送信電力に制御させることができる。
【００２８】
実施の形態２．
実施の形態２について、図に基づいて説明する。
【００２９】
図６はこの発明の実施の形態２における通信装置の構成を示す図である。なお、以下説明する各図において、図４と同一符号は、同一又は相当部分を示すものとする。
【００３０】
図６において、復号部９ＡはＤＰＤＣＨの受信データを復号するとともに、ＣＲＣチェックや誤り訂正を行い、ＣＲＣチェックや誤り訂正の結果をデータ受信誤り率計数部１７に入力する。また、復号部９ＡはＤＰＣＣＨの受信データに含まれるＴＦＣＩの復号もおこなう。データ受信誤り率計数部１７はＣＲＣチェックや誤り訂正後のＤＰＤＣＨの受信データ誤り率を算出し、ＴＡＲＧＥＴ  ＳＩＲ算出部１２Ａに入力する。ＴＡＲＧＥＴ  ＳＩＲ算出部１２Ａはパイロット誤り率計数部１０の算出結果又はデータ受信誤り率計数部１７の算出結果によりＳＩＲ基準値を更新する。即ち、このＴＡＲＧＥＴ  ＳＩＲ算出部１２ＡはＤＰＤＣＨの受信データが存在するときには、データ受信誤り率計数部１７の算出結果により、ＤＰＤＣＨの受信データが存在しないときには、パイロット誤り率計数部１０の算出結果により、ＳＩＲ基準値を更新する。なお、復号部９Ａで復号されたＴＦＣＩは伝送フォーマットを通知するもので、ＤＰＤＣＨの受信データの有無やそのデータ量を含む情報であるため、ＤＰＤＣＨの受信データが存在するか否かについての判断は、例えばこのＴＦＣＩを復号部９Ａで復号することによって容易に行うことができる。
【００３１】
次に、実施の形態２における移動局の動作説明をする。
【００３２】
図７はこの発明の実施の形態２における移動局のＴＡＲＧＥＴ  ＳＩＲ算出部の処理を示すフローチャート図である。
【００３３】
図６において、復号部９ＡはＤＰＤＣＨの受信データを復号するとともに、ＣＲＣチェックや誤り訂正を行い、この結果をデータ受信誤り率計数部１７に入力する。復号部９Ａで復号された受信データは、音声復号等のそれぞれ必要な処理が施された後、スピーカやパソコンから音声出力や画像表示される。次に、データ受信誤り率計数部１７はＤＰＤＣＨの受信データ誤り率を算出し、ＴＡＲＧＥＴ  ＳＩＲ算出部１２Ａに入力する。ＴＡＲＧＥＴ  ＳＩＲ算出部１２Ａはパイロット誤り率計数部１０の算出結果又はデータ受信誤り率計数部１７の算出結果によりＳＩＲ基準値を更新する。即ち、図７において、ＴＡＲＧＥＴ  ＳＩＲ更新処理が開始されると（ＳＴ２−１）、復調部７がＴＦＣＩを復調し、それを復号部９Ａで復号して、ＤＰＤＣＨの受信データがあるのかの判断を行う（ＳＴ２−２）。次に、ＤＰＤＣＨの受信データがある場合には、データ受信誤り率計数部１７の算出結果により、ＳＩＲ基準値を更新し（ＳＴ２−３）、ＤＰＤＣＨの受信データがない場合には、パイロット誤り計数部１０の算出結果により、ＳＩＲ基準値を更新して（ＳＴ２−４）、ＴＡＲＧＥＴ  ＳＩＲ更新処理が終了される（ＳＴ２−５）。ＳＩＲ基準値更新後の動作は、実施の形態１と同様である。
【００３４】
また、好ましくは、ＴＡＲＧＥＴ  ＳＩＲ算出部１２Ａにて用いるパイロット誤り率の設定閾値は、ＤＰＤＣＨの受信データが存在し、データ受信誤り率を基に制御したときに予め算出したパイロット誤り率計数部１０の算出結果により決定する。即ち、パイロット誤り率とＤＰＤＣＨの受信誤り率とＤＰＤＣＨの受信誤り特性の関係は伝送フォーマット等の影響を受けるため、厳密には一定にならないから、ＤＰＤＣＨの受信データが存在し、送信局との通信品質が適正に保たれているときに、予め設定閾値を算出しておけば、より正確な閾値設定をより正確な閾値設定をすることができる。
【００３５】
このようにして、この実施の形態２によれば、データ用チャネルの受信データが存在しないときには、パイロット信号を含む制御用チャネルの受信データ誤り率の算出結果によりＳＩＲ基準値を更新しているので、データ用チャネルの受信データの存在の有無にかかわらず、ＳＩＲ基準値の更新を可能とし、パケット通信のようにデータ用チャネルの受信データが存在しないときも、送信局に対し、必要最小限である適性な送信電力に制御させることができる。
【００３６】
実施の形態３．
実施の形態３について、図に基づいて説明する。
【００３７】
図６において、復調部７に入力される受信データに高品質が要求されたときには、受信データは例えば平均所要ＢＥＲ（ビット誤り率：Ｂｉｔ  Ｅｒｒｏｒ  Ｒａｔｅ）＝１×１０−６以下程度、即ち１００万個中に１個のトランスポートブロックに誤りが生じる程度まで制限される。この場合、ＢＬＥＲも非常に小さく、ＢＬＥＲ測定にも長時間を要し、伝搬路の変動に対して高精度に追従できなくなる。このため、応答性能の面から事実上、ＤＰＤＣＨの受信データの誤り率の算出結果によってはＳＩＲ基準値を更新することはできない。しかし、パイロット信号のビット誤りとＤＰＤＣＨの受信データのＣＲＣエラーとを比較すると、ＤＰＤＣＨにデータにはエラー訂正ビットが付加され符号化されているために、符号化利得に相当する数ｄＢ分、パイロット信号のビット誤りが生じ易い。
【００３８】
なお、ＢＬＥＲの測定は、例えば復号部９で行うＣＲＣチェック結果をメモリ（図示しない）に一時保存しながら、ＣＲＣエラーが発生したトランスポートブロックの個数を集計することによって行われる。
【００３９】
次に、実施の形態３における移動局の動作説明をする。
【００４０】
図８はこの発明の実施の形態３における移動局のＴＡＲＧＥＴ  ＳＩＲ算出部の処理を示すフローチャート図である。
【００４１】
図６において、復号部９ＡはＤＰＤＣＨの受信データを復号するとともに、ＣＲＣチェックや誤り訂正を行い、ＣＲＣチェックや誤り訂正の結果をデータ受信誤り率計数部１７に入力する。また、復号部９ＡはＣＲＣチェック結果をメモリに一時保存しながら、一定時間、ＣＲＣエラーが発生したトランスポートブロックの個数を集計して、ＢＬＥＲを算出する。復号部９Ａで復号された受信データは、音声復号等のそれぞれ必要な処理が施された後、スピーカやパソコンから音声出力や画像表示される。次に、データ受信誤り率計数部１７はＣＲＣチェックや誤り訂正の結果からＤＰＤＣＨの受信データ誤り率を算出し、ＴＡＲＧＥＴ  ＳＩＲ算出部１２Ａに入力する。ＴＡＲＧＥＴ  ＳＩＲ算出部１２Ａは、通信開始に先立って基地局側から指定された受信データの目標品質は高品質か、即ち所要平均ＢＥＲ＜１×１０−６以下であるかを判断した後、判断結果に従って、パイロット誤り率計数部１０又はデータ受信誤り率計数部１７の算出結果によりＳＩＲ基準値を更新する。即ち、図８において、ＴＡＲＧＥＴ  ＳＩＲ更新処理が開始されると（ＳＴ３−１）、ＴＡＲＧＥＴ  ＳＩＲ更新部１２Ａは受信データの目標品質は高品質か、即ち、基地局から要求された目標品質がＢＥＲ＜１×１０−６以下であるかを判別する（ＳＴ３−２）。目標品質が高品質である場合には、パイロット誤り計数部１０の算出結果により、ＳＩＲ値を更新する（ＳＴ３−４）。高品質でない場合には、実施の形態２で説明したのと同様にＤＰＤＣＨの受信データがあるのかを判別し（ＳＴ３−３）、ＤＰＤＣＨの受信データがある場合には、データ受信誤り率計数部１７の算出結果により、ＳＩＲ基準値を更新し（ＳＴ３−５）、ＤＰＤＣＨの受信データがない場合には、パイロット誤り計数部１０の算出結果により、ＳＩＲ基準値を更新して（ＳＴ３−４）、ＴＡＲＧＥＴ  ＳＩＲ更新処理が終了される（ＳＴ３−６）。ＳＩＲ基準値更新後の動作は、実施の形態１及び２と同様である。
【００４２】
このようにして、この実施の形態３によれば、高品質のデータ受信を行おうとするとき、基準値算出部は、制御データ受信誤り率計数部の算出結果により、ＳＩＲ基準値を更新しているので、高品質のデータ受信を行う場合であっても、通信状態の変化に応答よくＳＩＲ基準値の更新を可能とし、また、パケット通信のようにデータ用チャネルの受信データが存在しないときも、送信局に対し、必要最小限である適性な送信電力に制御させることができる。
【００４３】
【発明の効果】
この発明によれば、パイロット信号を含む制御用チャネルの受信データ誤り率の算出結果により希望波に対する干渉波電力比の基準値を更新しているので、データ用チャネルの受信データの有無にかかわらず、希望波に対する干渉波電力比の基準値の更新を可能とし、パケット通信のようにデータ用チャネルに受信データが存在しないときも、送信局に対し、適性な送信電力に制御させる信号を生成することができる。
【図面の簡単な説明】
【図１】Ｗ−ＣＤＭＡ方式の通信システムを示す一般的な概念図である。
【図２】下りリンクのＤＰＤＣＨ及びＤＰＣＣＨのフレーム構成を示す図である。
【図３】パイロットのビット数Ｎｐｉｌｏｔとパイロット信号の関係を示す図である。
【図４】この発明の実施の形態１における移動局の構成を示すブロック図である。
【図５】この発明の実施の形態１における移動局のＴＡＲＧＥＴ  ＳＩＲ更新処理を示すフローチャート図である。
【図６】この発明の実施の形態２における移動局の構成を示す図である。
【図７】この発明の実施の形態２における移動局のＴＡＲＧＥＴ  ＳＩＲ算出部の処理を示すフローチャート図である。
【図８】この発明の実施の形態３における移動局のＴＡＲＧＥＴ  ＳＩＲ算出部の処理を示すフローチャート図である。
【符号の説明】
１  送信局（ＢＳ）、２  移動局（ＭＳ）、３  下りリンク、４  上りリンク、５  無線部、６  アンテナ、７  復調部、８  ＳＩＲ測定部、９、９Ａ  復号部、１０  パイロット誤り率計数部、１２、１２Ａ  ＴＡＲＧＥＴ  ＳＩＲ算出部、１３  ＳＩＲ比較部、１４  下り送信電力制御情報生成部、１５  符号部、１６  変調部、１７  データ受信誤り率計数部。
【図１】
2004274117.tif 000003
【図２】
2004274117.tif 000004
【図３】
2004274117.tif 000005
【図４】
2004274117.tif 000006
【図５】
2004274117.tif 000007
【図６】
2004274117.tif 000008
【図７】
2004274117.tif 000009
【図８】
2004274117.tif 000010